(57)【特許請求の範囲】
【請求項１】
被検眼に対するアライメントを検出するアライメント検出手段と被検眼を測定する測定手段とを備えた本体と、この本体を前後左右に移動させるジョイスティックと、このジョイスティックに設けられるとともに前記測定手段の測定を実行させるためのジョイスティックスイッチとを有する眼科装置であって、
前記アライメント検出手段がアライメント完了を検出したとき、オートモードで前記測定手段を作動させて被検眼を連続的に測定させていくとともに、前記ジョイスティックスイッチが操作されたとき、前記オートモードを解除して測定を停止させる制御手段を設け、
この制御手段は、前記オートモードを解除した後、マニュアルモードに変更して、再度ジョイスティックスイッチが操作されたとき、そのジョイスティックスイッチの操作毎に測定を行なわせることを特徴とする眼科装置。
【請求項２】
被検眼に対するアライメントを検出するアライメント検出手段と、被検眼を測定する撮影手段とを備えた眼科装置において、
前記アライメント検出手段がアライメント完了を検出したとき、オートモードで前記撮影手段を作動させて被検眼の撮影を連続的に実行させていくとともに、ジョイスティックスイッチが操作されたとき、前記オートモードを解除して撮影の実行を停止させる制御手段を設けたことを特徴とする眼科装置。
【請求項３】
前記ジョイスティックスイッチの操作によりオートモードが解除された後、再度ジョイスティックスイッチが操作されたとき、ジョイスティックスイッチが操作される毎に撮影の実行を行なうマニュアルモードで撮影を行なっていくことを特徴とする請求項２の眼科装置。
【請求項４】
前記ジョイスティックスイッチが設けられているジョイスティックに、オートモードやマニュアルモードに切り換えるモード切換スイッチを設けたことを特徴とする請求項１または請求項２の眼科装置。
【発明の詳細な説明】
【０００１】
【産業上の利用分野】
この発明は、被検眼に対するアライメント検出手段と、被検眼を測定する測定手段あるいは被検眼を撮影する撮影手段を備えた眼科装置に関する。
【０００２】
【従来の技術】
従来、眼科装置である例えば眼屈折力測定装置では、基台の上に前後左右に移動可能な本体を設け、この本体に、被検眼に対するアライメントを検出するアライメント検出光学系と、被検眼の眼屈折力を測定する測定光学系と、アライメントを行うために前眼部をモニタするモニタ等とを設けている。また、本体はジョイスティックの操作により前後左右に移動するものであり、モニタを見ながら本体を前後左右に移動してアライメントを行う。そして、ジョイスティックスイッチを押すとオートモードまたはマニュアルモードで被検眼の測定を開始していくようになっている。オートモードやマニュアルモードの設定は、ジョイスティックとは別の位置に設けたモード切換スイッチの操作によって行われる。
【０００３】
オートモードは予め設定された回数だけ連続して測定していくものであり、マニュアルモードはジョイスティックスイッチを押す毎に測定を行っていくモードである。
【０００４】
【発明が解決しようとする課題】
このような眼屈折力測定装置にあっては、測定回数を予め設定しなければならず、その設定が面倒である場合がある。
【０００５】
また、モードを切り換える場合、モード切換スイッチがジョイスティックとは別の位置にあるため、モニタから目を離してモード切換スイッチを確認して操作しなければならず、不便である。また、アライメントのやり直しや測定を速やかに行なうために片方の手は常にジョイスティックを握っており、このためモードを切り換える場合、他方の手でモード切換スイッチを操作しなければならず、両手がふさがった状態になってしまうという問題があった。
【０００６】
この発明は、上記問題点に鑑みてなされたもので、その目的は、予め測定回数や撮影回数を設定する必要のない眼科装置を提供することにある。
【０００７】
また、他の目的は、モード切り換えの際にモニタから目を離す必要がなく、しかも、ジョイスティックを握っている片方の手の操作だけでモードの切り換えを行うことのできる眼科装置を提供することにある。
【０００８】
【課題を解決するための手段】
上記目的を達成するため、請求項１の発明では、被検眼に対するアライメントを検出するアライメント検出手段と被検眼を測定する測定手段とを備えた本体と、この本体を前後左右に移動させるジョイスティックと、このジョイスティックに設けられるとともに前記測定手段の測定を実行させるためのジョイスティックスイッチとを有する眼科装置であって、
前記アライメント検出手段がアライメント完了を検出したとき、オートモードで前記測定手段を作動させて被検眼を連続的に測定させていくとともに、前記ジョイスティックスイッチが操作されたとき、前記オートモードを解除して測定を停止させる制御手段を設け、
この制御手段は、前記オートモードを解除した後、マニュアルモードに変更して、再度ジョイスティックスイッチが操作されたとき、そのジョイスティックスイッチの操作毎に測定を行なわせることを特徴とする。
【０００９】
請求項２の発明では、被検眼に対するアライメントを検出するアライメント検出手段と、被検眼を測定する撮影手段とを備えた眼科装置において、
前記アライメント検出手段がアライメント完了を検出したとき、オートモードで前記撮影手段を作動させて被検眼の撮影を連続的に実行させていくとともに、ジョイスティックスイッチが操作されたとき、前記オートモードを解除して撮影の実行を停止させる制御手段を設けたことを特徴とする。
【００１０】
請求項３の発明では、前記ジョイスティックスイッチの操作によりオートモードが解除された後、再度ジョイスティックスイッチが操作されたとき、ジョイスティックスイッチが操作される毎に撮影の実行を行なうマニュアルモードで撮影を行なっていくことを特徴とする。
【００１１】
請求項４の発明では、前記ジョイスティックスイッチが設けられているジョイスティックに、オートモードやマニュアルモードに切り換えるモード切換スイッチを設けたことを特徴とする。
【００１３】
【作用】
請求項１の発明によれば、制御手段はアライメントが完了すると、オートモードで測定手段を作動させて被検眼を連続的に測定させていき、ジョイスティックスイッチが操作されるとそのオートモードを解除して測定を停止させ、このオートモードが解除された後、再度ジョイスティックスイッチを操作するとマニュアルモードで測定が行われる。
【００１４】
請求項２の発明によれば、制御手段はアライメント検出手段がアライメント完了を検出したとき、オートモードで撮影手段を作動させて被検眼の撮影を連続的に実行させていき、ジョイスティックスイッチが操作されると前記オートモードを解除して撮影の実行を停止させる。
【００１５】
請求項３の発明によれば、ジョイスティックスイッチの操作によりオートモードが解除された後、再度ジョイスティックスイッチを操作するとマニュアルモードで撮影が行なわれていく。
【００１６】
請求項４の発明によれば、モード切換スイッチをジョイスティックに設けたものであるから、ジョイスティックを握った手の指でモード切換スイッチを操作することができる。
【００１８】
【実施例】
以下、この発明に係わる眼科装置の１つである眼屈折力測定装置の実施例を図面に基づいて説明する。
【００１９】
図１において、１は基台で、この基台１の上に前後左右に移動可能なスライドベース２が載置され、スライドベース２には本体３が設置されている。本体３内には、被検眼の眼屈折力の測定やアライメントを検出する光学系が設けられている。
【００２０】
本体３は、ジョイスティック４の操作によりスライドベース２とともに前後左右に移動するものである。本体３の後面３ａには前眼部や各種のデータ等を表示するモニタ１８が設けられており、このモニタ１８に表示される前眼部像等を見ながら本体３を前後左右に移動して被検眼に対する本体３のアライメントを行うものである。スライドベース２には各種の操作を行う操作部７が設けられている。９はジョイスティックスイッチである。
【００２１】
スライドベース２にはマイクロスイッチ８が設けられており、このマイクロスイッチ８は本体３が例えば所定位置から左側へ移動されるとオンし、その所定位置から右側へ移動されるとオフするようになっている。このマイクロスイッチ８のオン・オフにより右目の測定を行なうのか左目の測定を行なうのかを識別する。
【００２２】
また、スライドベース２には後述するプリンタ１０４が内蔵されている。
【００２３】
図２は本体３内に設けた眼屈折力測定装置の光学系を示したものである。この光学系は、被検眼Ｅの前眼部を観察する前眼部観察光学系１０と、被検眼Ｅにアライメント光束を投影するアライメント投影光学系３０と、被検眼Ｅに固視標を投影する固視標投影光学系５０と、被検眼Ｅの眼底Ｅｒに測定光を投影する測定投影光学系７０と、眼底Ｅｒで反射される測定光を受光する受光光学系９０と、被検眼Ｅの前眼部を照明する照明光学系１１０とを備えている。
【００２４】
前眼部観察光学系１０は、対物レンズ１１と、ダイクロイックミラー６０と、絞り１２と、ハーフミラー１３と、リレーレンズ１４と、ダイクロイックミラー１５と、結像レンズ１６と、エリアセンサ１７と、エリアセンサ１７上に結像される前眼部像を表示するモニタ１８とを備えている。
【００２５】
また、前眼部観察光学系１０には、エリアセンサ１７上に円環状パターン像Ｐ（図５参照）を形成する円環状パターン投影系２０が設けられている。円環状パターン投影系２０は、光源２１と、コンデンサレンズ２２と、円環状パターン（図示せず）が形成されたパターン板２３とを備え、光源２１から射出された光はコンデンサレンズ２２に集光されてパターン板２３に照射され、これによりパターン板２３から円環状光束がダイクロイックミラー１５，９２（後述する）を介して結像レンズ１６に達し、この結像レンズ１６よりエリアセンサ１７上に円環状パターン像Ｐが結像される。そして、この円環状パターン像Ｐが前眼部とともにモニタ１８に表示される。
【００２６】
アライメント投影光学系３０は、２つの投影光路に分かれ、光路３０−１は光源３５とミラー３７とリレーレンズ３９とを備え、光路３０−２は光源３６とミラー３８とリレーレンズ４０とを備えている。また、共通光路はハーフミラー４１と絞り１２とダイクロイックミラー６０と対物レンズ１１とを備えている。
【００２７】
光源３５から射出された光束は、ミラー３７，リレーレンズ３９，ハーフミラー４１，絞り１２，ダイクロイックミラー６０，対物レンズ１１を介して被検眼Ｅの角膜Ｅｃに投影される。このとき、図３に示すように、角膜Ｅｃによる光源３５の反射像３５ａが虹彩位置付近に形成されるように光学部材を配置する。
【００２８】
光源３６から射出された光束は、ミラー３８，リレーレンズ４０，ハーフミラー４１，絞り１２，ダイクロイックミラー６０，対物レンズ１１を介して被検眼Ｅの角膜Ｅｃに投影される。このとき、図４に示すように、角膜Ｅｃによる光源３６の反射像３６ｂが虹彩位置よりも後方となる位置、すなわち、反射像３５の位置より後方の位置に形成されるように光学部材を配置する。
【００２９】
上述のように光源３５，３６を投影するには、光源の位置を変えても良いし、リレーレンズ３９，４０の位置や焦点距離を変えても容易にできる。
【００３０】
また、被検眼Ｅに対する本体（図示せず）のＺ方向（光軸方向）のアライメントが完了している場合には、角膜Ｅｃによる光源３５の反射像３５ａとエリアセンサ１７とが共役関係になるように設定されており、Ｘ，Ｙ方向のアライメントが完了している場合には、図５に示すように、円環状パターンＰ内に角膜反射像３５ａのの３５ａ´が形成されるように設定されている。したがって、Ｘ，Ｙ，Ｚ方向のアライメントが完了している場合には、エリアセンサ１７に形成される円環状パターンＰ内に像３５ａ´がピントの合った状態で結像される。この状態のとき、光源３６による角膜反射像３６ｂの３６ｂ´は円環状パターンＰ内にピントのずれた状態で結像される。
【００３１】
固視標投影光学系５０は、光源５１と、コンデンサレンズ５２と、固視標板５３と、リレーレンズ５４と、ミラー５５と、ダイクロイックミラー５６と、リレーレンズ５７と、ミラー５８，５９と、ダイクロイックミラー６０と、対物レンズ１１とを備えている。固視標板５３は眼底Ｅｒと共役位置にあり、固視標板５５には固視標となるマーク（図示せず）が形成され、このマークが眼底Ｅｒに投影されるものである。このマークの投影により被検眼Ｅを所定方向に向けるとともに雲霧視させる。
【００３２】
測定投影光学系７０は、光源７１と、コンデンサレンズ７２と、円錐プリズム７３と、リング開口（図示せず）が形成されたリング開口板７４と、リレーレンズ７５と、絞り７６と、孔開きミラー７７と、ミラー７８と、ダイクロイックミラー７９と、ダイクロイックミラー６０と、対物レンズ１１とを備えている。
【００３３】
円錐プリズム７３は、コンデンサレンズ７２によって集光された光源７１から光をリング開口板７４のリング開口に集光させるものである。リング開口板７４と眼底Ｅｒとは共役位置にあり、リング開口板７４のリング開口を透過する光束により図６に示すリング像Ｑが眼底Ｅｒに投影される。
【００３４】
この眼底Ｅｒに投影されたリング像Ｑの反射光束は、対物レンズ１１，ダイクロイックミラー６０，ダイクロイックミラー７９，ミラー７８，孔開きミラー７７，絞り９３，ダイクロイックミラー９１，ミラー５８，リレーレンズ５７，ダイクロイックミラー５６，ダイクロイックミラー９２，結像レンズ１６を介してエリアセンサ１７にリング像のリング受光像が結像される。
【００３５】
そして、受光光学系９０は、対物レンズ１１と、ダイクロイックミラー６０と、ダイクロイックミラー７９と、絞り９３と、ダイクロイックミラー９１と、ミラー５８と、リレーレンズ５７と、ダイクロイックミラー９２と、結像レンズ１６と、エリアセンサ１７とから構成されている。
【００３６】
１００は制御部であり、この制御部１００は図７に示すようにエリアセンサ１７が受光する画像を記憶する画像記憶装置１０１と演算装置１０２とＣＰＵ等からなる制御装置（制御手段）１０３から構成され、演算装置１０２は、画像記憶装置１０１に記憶される画像から眼屈折力やアライメントを演算処理して求める他に装置（図示せず）のＺ方向のずれを求める。すなわち、演算装置１０２はアライメントを検出するアライメント検出手段と、眼屈折力などを測定する測定手段として機能を有している。
【００３７】
制御装置１０３は、ジョイスティックスイッチ９や操作部７の操作に基づいて画像記憶装置１０１，演算装置１０２，モニタ１８，プリンタ１０４等に各種の指令信号を出力して記憶，演算，表示やデータのプリントアウト等を行わせるものである。
【００３８】
また、制御装置１０３は、自動的にオートモードを設定してアライメントが完了されると連続して測定を行わせていくようになっている。このオートモードのとき、ジョイスティックスイッチが押されるとオートモードを解除してマニュアルモードを設定するようになっている。また、制御装置１０３はマニュアルモードの際にマイクロスイッチ８がオンからオフあるいはオフからオンに変わたときや、データがプリントアウトされたときにリセットしてオートモードを設定するようになっている。
【００３９】
次に、上記実施例の動作について説明する。
【００４０】
先ず、図示しないメインスイッチを投入する。この投入により制御装置１０３は自動的にオートモードを設定する。照明光学系１１０により前眼部を照明する。この照明により前眼部で反射される反射光が対物レンズ１１，ダイクロイックミラー６０，絞り１２，ハーフミラー１３，リレーレンズ１４，ダイクロイックミラー１５，９２を介して結像レンズ１６に達し、この結像レンズ１６によりエリアセンサ１７に前眼部像が結像される。そして、モニタ１８に前眼部像１２０が表示される（図９参照）。
【００４１】
また、円環状パターン投影系２０の光源２１を点灯させて、エリアセンサ１７に図８に示す円環状パターン像Ｐを形成させ、モニタ１８に前眼部像１２０とともに円環状パターン像Ｐが図９に示すように表示される。
【００４２】
一方、固視標投影光学系５０の光源５１を点灯させる。この点灯により光源５１から射出された光がコンデンサレンズ５２，固視標板５３，リレーレンズ５４，ミラー５５，ダイクロイックミラー５６，リレーレンズ５７，ミラー５８，ダイクロイックミラー９１，ミラー５９，ダイクロイックミラー７９，６０，対物レンズ１１を介して被検眼Ｅの眼底Ｅｒに投影され、固視標板５３に形成した固視標の像が眼底に形成される。この固視標の像の形成により被検眼Ｅを所定方向に向けさせるとともに雲霧視させる。
【００４３】
検者はモニタ１８に表示される前眼部像１２０と円環状パターン像Ｐを見ながら、パターン像Ｐが前眼部像１２０の瞳孔像Ｅａ´の位置にくるように装置の概略位置を決めて概略的なアライメントを終了する。
【００４４】
次に、アライメントの微調整を行う。この微調整は、アライメント投影光学系３０の光源３５と３６を交互に点灯させることによって行う。
【００４５】
光源３５から射出された光束は、ミラー３７，リレーレンズ３９，ハーフミラー４１，１３，絞り１２，ダイクロイックミラー６０を介して対物レンズ１１によって被検眼Ｅの角膜Ｅｃに投影される。他方、光源３６から射出された光束は、ミラー３８，リレーレンズ４０，ハーフミラー４１，１３，絞り１２，ダイクロイックミラー６０を介して対物レンズ１１によって被検眼Ｅの角膜Ｅｃに投影される。
【００４６】
２つの光源３５，３６はそれぞれ交互に点灯され、図３および図４に示すように、光源３５は被検眼Ｅｃのほぼ虹彩位置に、光源３６はそれより後方に角膜Ｅｃによる反射像が形成される。角膜Ｅｃによるこれら反射像３５ａ，３６ｂは、前眼部の反射光とともに対物レンズ１１，ダイクロイックミラー６０，絞り１２，ハーフミラー１３，リレーレンズ１４，ダイクロイックミラー１５，９２を介して結像レンズ１６に達する。この結像レンズ１６によりエリアセンサ１７に前眼部像１２０とともに反射像３５ａ，３６ｂの像３５ａ´，３６ｂ´が交互に結像され、モニタ１８に表示される。
【００４７】
像３５ａ´，３６ｂ´が図１０に示すように円環状パターン像Ｐ内に入っていない場合は、Ｘ，Ｙ方向のアライメントがずれているので、装置を上下左右に移動させて反射像３５ａ´，３６ｂ´を円環状パターン像Ｐ内に入れる。これにより、Ｘ，Ｙ方向の微調整が行われＸ，Ｙ方向のアライメントが完了する。
【００４８】
さらに、微調整を行う必要がある場合は、２つの反射像３５ａ，３６ａが被検眼Ｅの光軸とアライメント投影光軸とが一致していないと合致しないことを利用して２つの像３５ａ´，３６ｂ´を重ねるように装置本体を移動すればより正確にＸ，Ｙ方向のアライメントを行うことができる。
【００４９】
次に、Ｚ方向のアライメントの微調整を行う。Ｚ方向のアライメントの微調整が完了している場合には、図３に示すように、エリアセンサ１７が虹彩Ｅａとほぼ共役位置にあるので、像３５ａ´は円環状パターン像Ｐ内に入りしかもピントの合った状態でエリアセンサ１７に結像される。この結果、図１１Ａに示すように、反射像３５ａ´は円環状パターン像Ｐ内に入り、しかもピントの合った状態でモニタ１８に表示される。
【００５０】
反射像３６ｂ´は、Ｘ，Ｙ方向のアライメントが完了していることにより円環状パターン像Ｐ内に入り、ピントのずれた状態でエリアセンサ１７に結像される。この結果、図１１Ｂに示すように、円環状パターン像Ｐ内に入り、ピントのずれた状態でモニタ１８に表示される。
【００５１】
この状態のとき、すなわち、Ｚ軸方向のアライメントが完了しているとき、図１２に示すように、像３５ａ´が結像されているときのエリアセンサ１７の受光量と、反射像３６ｂ´が結像されているときのエリアセンサ１７の受光量との光量レベルが等しくなるように設定しておく。
【００５２】
このように設定しておくことにより、装置が被検眼Ｅに対して前方にずれた状態にあると、図３および図４に示す状態になっていることにより図１３Ａに示すように像３５ａ´はピントがずれた状態となり、像３６ｂ´は図１３Ｂに示すようにピントの合った状態となる。そして、図１４に示すように像３５ａ´が結像されているときのエリアセンサ１７の受光量の光量レベルは小さくなり、像３６ｂ´が結像されているときのエリアセンサ１７の受光量の光量レベルは大きくなる。
【００５３】
逆に、装置が被検眼Ｅに対して後方にずれた状態にあると、図１５Ａ，図１５Ｂに示すように、像３５ａ´，３６ｂ´とともにピントがずた状態となり、図１６に示すように、像３６ｂ´が結像されているときのエリアセンサ１７の受光量の光量レベルは、像３５ａ´が結像されているときのエリアセンサ１７の受光量の光量レベルより小さくなる。
【００５４】
すなわち、像３５ａ´，３６ｂ´が結像されているときの光量レベルを比較することにより、装置がＺ方向にアライメントが完了している状態か、装置が被検眼Ｅに対して後方や前方にずれた状態にあるか否が判断することができ、しかも、その両方の光量レベルを考慮すればそのズレ量も判断することも可能である。
【００５５】
演算装置１０２は、エリアセンサ１７の受光量から装置のＺ方向のアライメントを演算して求めるものであり、アライメントが完了している場合には、図９に示すように、モニタ１８にアライメント完了であることを示すマークＭとして「・」を表示し、装置が後方にずれている場合には、図１７に示すように、モニタ１８に上向き矢印Ｒを表示する。上向きの矢印Ｒは装置を前方へ移動させる向きを示し、その長さはズレ量を示す。
【００５６】
また、装置が前方にズレている場合には、図１８に示すように、モニタ１８に下向きの矢印Ｒを表示する。下向きの矢印Ｒは装置を後方へ移動させる向きを示し、その長さはズレ量を示す。
【００５７】
検者は、モニタ１８の矢印Ｒを見ながら装置を前後に動かして、マークＭ「・」が表示される位置に移動させる。これにより、Ｚ方向の微調整が行われ、Ｚ方向のアライメントが正確に行うことができる。
【００５８】
演算装置１０２はＸ，Ｙ，Ｚ方向のアライメントが完了していると判断すると、制御装置１０３は、測定光学系７０の光源７１を点灯させて眼底Ｅｒにリング像を投影して眼屈折力等を測定し、その測定結果をモニタ１８に表示するとともに制御装置１０３に備えられている図示しない記憶部に記憶させる。この測定は、オートモードに設定されているのでジョイスティックスイッチ９が押されるまで連続的に行われる（例えば１秒間隔毎に測定が行われていく）。すなわち、Ｘ，Ｙ，Ｚ方向のアライメントが完了すると自動的に測定が行われていき、必要な測定回数になったらジョイスティックスイッチ９を押せば、測定が停止されるので予め測定回数を設定する必要がない。また、アライメントが完了すると自動的に測定が行われるので、測定開始用のスタートスイッチを操作する必要もなく、非常に便利である。
【００５９】
そして、検者がジョイスティックスイッチ９を押すとオートモードが解除されてマニュアルモードとなるとともに測定が停止される。そして、再度、検者がジョイスティックスイッチ９を押すと測定光学系７０の光源７１が点灯されて測定が行われ、その測定結果がモニタ１８に表示されるとともに記憶部に記憶される。以後、同様にジョイスティックスイッチ９を押す毎に測定が行われ、その測定結果がモニタ１８に表示されるとともに記憶部に記憶されていく。
【００６０】
このように、ジョイスティックスイッチ９の操作によりオートモードからマニュアルモードに切り換わるので、モード切換スイッチを操作する必要がなく、このため、モードを切り換える際にモニタ１８から目を離す必要がなくなり、常にモニタ１８を見ながら測定することができるので、測定を迅速に行うことができる。
【００６１】
しかも、ジョイスティック４を握った手の指でジョイスティックスイッチ９を操作するだけでモードが切り換わるので、常に他方の手が他の事に使用できる状態にあり、非常に便利である。
【００６２】
検者は、測定を必要な回数行った後、操作部７を操作して測定したデータをプリンタ１０４からプリントアウトすると、制御装置１０３はリセットされてオートモードに設定される。これは、データをプリントアウトしたときは測定が終了しており、この後は他の被検眼の測定に移るからである。
【００６３】
また、データをプリントアウトしなくても、右目あるいは左目の測定のために本体３を右あるいは左方向へ移動すると、マイクロスイッチ８がオンからオフ、あるいはオフからオンに変わるので、制御装置１０３はリセットしてオートモードを設定する。
【００６４】
このように、プリントアウト、本体３の移動等によってマニュアルモードになっている場合でもオートモードに切り換わるので、従来のようにモード切換スイッチを操作する必要がなく、このため、モード切換スイッチを操作する煩わしさもなくなり、操作が簡単なものとなる。
【００６５】
ところで、アライメントがしずらい被検眼の場合、オートモードでは測定が開始されるまでに長い時間を費やしてしまい、さらに、オートモードで予め設定した回数だけ測定を行う従来の装置では、アライメントが完了してオートモードで測定が開始されても、その途中でアライメントがずれると、測定は停止され、再度アライメントが完了するまで測定が開始されない。このため、再度アライメントが完了するまで長い時間が費やされてしまうことになり、結局、測定開始から測定終了（設定回数の測定）までに相当長い時間が費やされてしまい、効率よく測定することができない。
【００６６】
この実施例では、ジョイスティックスイッチ９を押せばマニュアルモードになるので、アライメントが完了されていなくても測定することができる。このため、アライメントがしずらい被検眼の場合でも、アライメントが完了されていなくとも許容範囲内であれば測定しても差し支えないことにより、効率よく測定することができることとなる。
【００６７】
上記実施例では、モード切換を自動的に行うようにしているが、図１９に示すように、モード切換スイッチ９５をジョイスティックスイッチ９の近傍に設けて、モード切り換えを行うようにすれば、モード切り換えの際もジョイスティックを握った手の指で操作することができる。この場合、モード切換スイッチ９５を押す毎にオートモードとマニュアルモードとが交互に変わっていくものである。
【００６８】
また、上記実施例は、眼屈折力測定装置について説明したが、他の眼科装置、例えば、ケラトメータ、角膜厚さ測定装置、眼圧計、眼底カメラ、角膜内皮細胞撮影装置等にも適用できることは勿論である。なお、眼底カメラや角膜内皮細胞撮影装置の場合には、測定の代わりにアライメントが完了したら自動的に眼底や角膜内皮細胞の撮影を実行させるものである。
【００６９】
【発明の効果】
請求項１の発明によれば、アライメントが完了すると自動的に測定が行われていき、必要な測定回数になったらジョイスティックスイッチを押せば、測定が停止されるので予め測定回数を設定する必要がない。また、アライメントが完了すると自動的に測定が行われるので、測定開始用のスタートスイッチを操作する必要もなく、非常に便利である。また、ジョイスティックスイッチの操作によりオートモードからマニュアルモードに切り換わるので、従来のようにモード切換スイッチを操作する必要がなく、このため、モードを切り換える際にモニタから目を離す必要がなくなり、常にモニタを見ながら測定することができ、測定を迅速に行うことができる。また、モード切換スイッチを操作する煩わしさがなく、操作が簡単なものとなる。しかも、ジョイスティックを握った手の指でジョイスティックスイッチを操作するだけでモードが切り換わるので、常に他方の手が他の事に使用できる状態にあり、非常に便利である。
【００７０】
請求項２の発明によれば、アライメントが完了すると自動的に撮影が行われていき、必要な撮影回数になったらジョイスティックスイッチを押せば、撮影が停止されるので予め撮影回数を設定する必要がない。また、アライメントが完了すると自動的に撮影が行われるので、撮影開始用のスタートスイッチを操作する必要もなく、非常に便利である。
【００７１】
請求項３の発明によれば、ジョイスティックスイッチの操作によりオートモードからマニュアルモードに切り換わるので、従来のようにモード切換スイッチを操作する必要がなく、このため、モードを切り換える際にモニタから目を離す必要がなくなり、常にモニタを見ながら被検眼を撮影することができ、その撮影を迅速に行うことができる。また、モード切換スイッチを操作する煩わしさがなく、操作が簡単なものとなる。しかも、ジョイスティックを握った手の指でジョイスティックスイッチを操作するだけでモードが切り換わるので、常に他方の手が他の事に使用できる状態にあり、非常に便利である。
【００７２】
請求項４の発明によれば、ジョイスティックを握った手の指でモード切換スイッチを操作することができるので、常に他方の手が他の事に使用できる状態にあり、非常に便利である。
【図面の簡単な説明】
【図１】この発明にかかる眼屈折力測定装置の外観を示した斜視図である。
【図２】図１の装置に設けられた光学系の配置を示した光学配置図である。
【図３】虚像の形成位置を示した説明図である。
【図４】虚像の形成位置を示した説明図である。
【図５】エリアセンサに結像された円環状パターン内に形成される反射受光像を示した説明図である。
【図６】眼底に投影される円環状パターンを示した説明図である。
【図７】制御部の構成を示したブロック図である。
【図８】エリアセンサに投影される円環状パターンを示した説明図である。
【図９】モニタに表示される前眼部像等を示した説明図である。
【図１０】エリアセンサに投影される円環状パターンと反射像との関係を示した説明図である。
【図１１】（Ａ）は円環状パターン内にピントの合った反射像が形成された状態を示した説明図である。
（Ｂ）は円環状パターン内にピントのずれた反射像が形成された状態を示した説明図である。
【図１２】図１１に示す状態における反射像と受光量の光量レベルとの関係を示したグラフである。
【図１３】（Ａ）は円環状パターン内にピントのずれた反射像が形成された状態を示した説明図である。
（Ｂ）は円環状パターン内にピントの合った反射像が形成された状態を示した説明図である。
【図１４】図１３に示す状態における反射像と受光量の光量レベルとの関係を示したグラフである。
【図１５】（Ａ）は円環状パターン内にピントのずれた反射像が形成された状態を示した説明図である。
（Ｂ）は円環状パターン内にピントのずれた反射像が形成された状態を示した説明図である。
【図１６】図１５に示す状態における反射像と受光量の光量レベルとの関係を示したグラフである。
【図１７】装置が後方にずれている場合のモニタに表示される画像を示した説明図である。
【図１８】装置が前方にずれている場合のモニタに表示される画像を示した説明図である。
【図１９】ジョイスティックの他の実施例を示した説明図である。
【符号の説明】
９                    ジョイスティックスイッチ
１０                前眼部観察光学系
３０                アライメント投影光学系
９０                受光光学系
１０２      演算装置（アライメント検出手段，測定手段）
１０３            制御装置（制御手段）
Ｅ                  被検眼
【図１】
0003568251.tif 000002
【図２】
0003568251.tif 000003
【図３】
0003568251.tif 000004
【図４】
0003568251.tif 000005
【図５】
0003568251.tif 000006
【図６】
0003568251.tif 000007
【図７】
0003568251.tif 000008
【図８】
0003568251.tif 000009
【図９】
0003568251.tif 000010
【図１０】
0003568251.tif 000011
【図１１】
0003568251.tif 000012
【図１２】
0003568251.tif 000013
【図１３】
0003568251.tif 000014
【図１４】
0003568251.tif 000015
【図１５】
0003568251.tif 000016
【図１６】
0003568251.tif 000017
【図１７】
0003568251.tif 000018
【図１８】
0003568251.tif 000019
【図１９】
0003568251.tif 000020